(57)【要約】      （修正有）【課題】手指の麻痺により屈曲した手根関節部及び第１指〜第５指を伸展することができる手指の伸展補助具を提供する。【解決手段】手指を圧着するための硬質板状本体１と、該硬質板状本体の内側部分には該硬質板状本体と手の平側とを圧着する圧着部材と、該硬質板状本体の外側部分にストレッチの際に該硬質板状本体が滑るのを防止する滑り止め部材１ａと、手根関節部で該硬質板状本体を手根に固定する伸展可能な帯状の手根固定部材と、第１指部で該硬質板状本体を第１指に固定する伸展可能な帯状の第１指固定部材２と、該硬質板状本体を第２指〜第５指部に固定する伸展可能な帯状の指固定部材２と、該指部固定部材で該硬質板状本体と第２指〜第５指とを固定した時に手の甲側に配置される第２指〜第５指とを圧着するための高弾性のスポンジ２ａと、該手根固定部材、該第１指固定部材及び該指固定部材の端部に配置される面フアスナー２ｂとで構成された手指の伸展補助具３。【選択図】図１
0003188435.tif 000002
【実用新案登録請求の範囲】
【請求項１】
強度があり、軽量で、耐熱性に優れたポリエチレンやポジプロピレンや硬化プラスチック材で形成された、手指を圧着するための硬質板状本体と、
該硬質板状本体の内側部分には該硬質板状本体と手の平側とを圧着する圧着部材と、
該硬質板状本体の外側部分にはストレッチの際に該硬質板状本体が滑るのを防止する滑り止め部材と、
該硬質板状本体に取り付けられる手根関節部で該硬質板状本体を手根に固定する伸展可能な帯状の手根固定部材と、
該硬質板状本体に取り付けられる第１指部で該硬質板状本体を第１指に固定する伸展可能な帯状の第１指固定部材と、
該硬質板状本体に取り付けられる第２指〜第５指部で該硬質板状本体を第２指〜第５指部に固定する伸展可能な帯状の指固定部材と、
該指部固定部材で該硬質板状本体と第２指〜第５指とを固定したときに手の甲側に配置される第２指〜第５指とを安定して圧着するための高弾性のスポンジと、
該手根固定部材、該第１指固定部材及び該指固定部材の端部に配置される面フアスナーと、
からなる手指を圧着して伸展することができることを特徴とする手指の伸展補助具。
【請求項２】
前記硬質板状本体は第１指を別にして第２指〜第５指の部分を１体化した板状に成型されたことを特微とする請求項１記載の手指の伸展補助具。
【請求項３】
前記硬質板状本体の内側と外側に滑りにくい部材を使用することにより、手指の伸展と硬質板状本体と外側との圧着が安定して行えることを特徴とする請求項１又は請求項２に記載の手指の伸展補助具。
【請求項４】
該硬質板状本体に．該手根固定部材、該第１指固定部材及び該指固定部材を差し込むための少なくとも１つ以上の切り込み部を設けたことを特徴とする請求項１〜請求項３記載のいずれか１つに記載の手指の伸展補助具。
【考案の詳細な説明】
【技術分野】
【０００１】
本考案は手指の麻痩により屈曲した手根関節部分及び第１指〜第５指を伸展することができる手指の伸展補助具に関するものである。
【背景技術】
【０００２】
手指の麻庫により屈曲した手根関節部及び第１指〜第５指を伸展することは、１人では困難であり、介護者を必要としてしいる。
【０００３】
そこで、介護者の必要なく１人で着脱をすることができる手指の伸展補助具が必要である。
【０００４】
手指の機能を改善させるための掌の背面、又は内面に対して配された袋状の内部に気体もしくは液体注入、排気して手根関節に対して受動的な開閉運動が起こされる手根関節のリハビリ用具（例えば特許文献１参照）が提案されている。
【先行技術文献】
【特許文献】
【０００５】
【特許文献１】特開２０１２−１６４９７号公報
【考案の概要】
【考案が解決しようとする課題】
【０００６】
しかしながらこのような器具においては大掛かりであり、身体に障害のある使用者が着脱するには困難である。又、袋体の内部に気体もしくは液体注入しなくてはならない為、介護者が必要となる。
【０００７】
本考案は介護者の必要なく且つ使用者が１人で着脱可能な手指の伸展補助具の提供を目的とする。
【課題を解決するための手段】
【０００８】
上記目的を解決するための請求項１記載の考案は、強度があり、軽量で、耐熱性に優れたポリエチレンやポジプロピレンや硬化プラスチック材で形成された、手指を圧着するための硬質板状本体と、該硬質板状本体の内側部分には該硬質板状本体と手の平側とを圧着する圧着部材と、該硬質板状本体の外側部分にはストレッチの際に該硬質板状本体が滑るのを防止する滑り止め部材と、該硬質板状本体に取り付けられる手根関節部で該硬質板状本体を手根に固定する伸展可能な帯状の手根固定部材と、該硬質板状本体に取り付けられる第１指部で該硬質板状本体を第１指に固定する伸展可能な帯状の第１指固定部材と、該硬質板状本体に取り付けられる第２指〜第５指部で該硬質板状本体を第２指〜第５指部に固定する伸展可能な帯状の指固定部材と、該指部固定部材で該硬質板状本体と第２指〜第５指とを固定したときに手の甲側に配置される第２指〜第５指とを安定して圧着するための高弾性のスポンジと、該手根固定部材、該第１指固定部材及び該指固定部材の端部に配置される面フアスナーとで構成された構造であることを特徴とする手指の伸展補助具。
【０００９】
上述した硬質板状本体の厚さを０．５ｍｍ〜１．２ｍｍ迄が好ましく、第１指を別にして第２指〜第５指を一体化した形状にすることにより右手、左手どちらにも使用可能となる。
【００１０】
上述した圧着部材及び滑り止め部材は厚さ０．１ｍｍ〜１．０ｍｍ迄が好ましく圧着部材及び滑り止め部材を設けたことにより手指の圧着を安定さすことができる。
【００１１】
上述した硬質板状本体に取り付けられる伸展可能な帯状の固定部材を硬質板状本体に差し込む構成にすることにより、使用者の方の着脱がしやすくなることを可能にした。
【００１２】
上述したスポンジは厚さ０．４ｍｍ〜０．７ｍｍ、横８．０ｍｍ〜１０．０ｍｍ、縦３．０ｍｍ〜５．５ｍｍ迄が好ましく第２指〜第５指の伸展が安定して行うことができることを可能にした。
【００１３】
上述した硬質板状本体に取り付けられる伸展可能な帯状の固定部材に面ファスナーを設けたことにより使用者の方の着脱がしやすくなることを可能にした
【考案の効果】
【００１４】
本考案の手指の伸展補助具に於いては、手根関節部及び第１指〜第５指を伸展することにより総指伸筋に負荷がかかり筋力を維持することができる。又座ったまま体の横で内側に曲がりやすい手首を麻庫のないほうの手で補助しながら甲の方反らし体重をかけることで、前腕部の筋肉のストレッチ効果が得られる。また屈曲した手根関節部、手指の伸展を行うことは、血流、筋肉のバランスを保ち浮腫みを軽減することができる。
【図面の簡単な説明】
【００１５】
【図１】本考案を示す斜視図を示す。
【図２】本考案のストレッチを行う実施例を示す。
【図３】本考案の手根部側から開いた状態を示す。
【考案を実施するための形態】
【００１６】
本考案の手指の伸展補助具は、手指を圧着するための硬質板状本体と該硬質板状本体の内側部分には手の平側を圧着する圧着部材と、外側部分には滑るのを防止する部材と、該硬質板状本体に取り付けられる伸展司能な固定部材と、第２指〜第５指の伸展が安定するための該高弾性のスボンジと着脱をしやすくする為の面フアスナーとからなる構造である。
【００１７】
前記硬質板状本体は、強度があり、軽量で、耐熱性に優れたポリエチレンやポリプロピレンや硬化プラスチック材で成型され第１指を別にして第２指〜第５指を１体化した形状にして右手、左手どちらにも使用できる構造であることが好ましい。
【００１８】
前記硬質板状本に設けた伸展可能な固定部材は、高伸縮性のある部材で第１指の伸展、第２指〜第５指の伸展、手根関節部の伸展が安定して行える構造であることが好ましい。
【実施例１】
【００１９】
本考案の手指の伸展補助具の実施例を添付図面を参照して説明する。
【００２０】
図１は本考考案の斜視図を示す  
【００２１】
図２は手指の伸展補助具を装着して座ったまま内側に曲がりやすい手首を麻庫のない方の手で補助しながらストレッチを行う実地例を示す。
【００２２】
図３  は硬質板状本体を手根に固定する伸展可能な帯状の手根固定部材を開いた状態を手根部側からを示す。
【産業上の利用可能性】
【００２３】
本考案の手指の伸展補助具は、手指の麻庫により屈曲した手指を使用者１人で着脱できるもので介護者の必要がなく使用者の自立を促すことが可能となり産業上の必要性は高いものと思われる。
【符号の説明】
【００２４】
１    ：硬質板状本体
ｌａ  ：滑りにくい部材
２    ：帯状の固定部材
２ａ  ：スポンジ
２ｂ  ：面ファスナー
３    ：本考案の手指の伸展補助具
【図１】
0003188435.tif 000003
【図２】
0003188435.tif 000004
【図３】
0003188435.tif 000005